(57)【要約】【課題】売上データ処理装置に対して、利用者に対応する設定データを容易に適用可能にする。【解決手段】売上データ処理システムＳは、売上データ処理装置１が所定の情報端末２を所有するキャッシャー５をサインインさせる売上データ処理システムであって、売上データ処理装置１は、情報端末２を識別するための端末識別情報と、キャッシャー５に係る設定データと、を受信する通信手段１５と、通信手段１５を介して受信した端末識別情報に基づいてキャッシャー５をサインインさせるとともに前記受信した設定データに基づく設定を適用する制御手段１１と、を備える。【選択図】図２
2019219867.tif 000002
【特許請求の範囲】
【請求項１】
売上データ処理装置が所定の情報端末を所有するキャッシャーをサインインさせる売上データ処理システムであって、
前記売上データ処理装置は、
前記情報端末を識別するための端末識別情報と、前記キャッシャーに係る設定データと、を受信する通信手段と、
前記通信手段を介して受信した端末識別情報に基づいて前記キャッシャーをサインインさせるとともに前記受信した設定データに基づく設定を適用する制御手段と、
を備えることを特徴とする売上データ処理システム。
【請求項２】
前記設定データは、前記キャッシャーの固有の画像および／またはメッセージを包含し、
前記制御手段は、前記設定データに基づく設定が適用された際に、前記キャッシャーの固有の画像および／またはメッセージをレシートに印字させる、
ことを特徴とする請求項１に記載の売上データ処理システム。
【請求項３】
前記情報端末は、
前記売上データ処理装置と、当該売上データ処理装置に前記キャッシャーがサインイン可能な時間帯とが対応付けられたスケジュール情報に基づいて、前記キャッシャーが現在時刻において前記売上データ処理装置にサインイン可能か否かを判別する判別手段、
を備えることを特徴とする請求項１または２に記載の売上データ処理システム。
【請求項４】
前記制御手段は、通信中の前記情報端末との間で通信不能になったとき、当該情報端末を所有する前記キャッシャーをサインアウトさせる、
ことを特徴とする請求項１から５の何れか一項に記載の売上データ処理システム。
【請求項５】
前記制御手段は、前記通信手段を介して前記情報端末から退勤処理要求を受信した時刻を退勤時刻として記録し、当該情報端末を所有するキャッシャーをサインアウトさせる
ことを特徴とする請求項１から４の何れか一項に記載の売上データ処理システム。
【請求項６】
所定の情報端末を所有するキャッシャーをサインインさせる売上データ処理装置であって、
前記情報端末を識別するための端末識別情報と、前記キャッシャーに係る設定データと、を受信する通信手段と、
前記通信手段を介して受信した端末識別情報に基づいて前記キャッシャーをサインインさせるとともに前記受信した設定データに基づく設定を適用する制御手段と、
を備えることを特徴とする売上データ処理装置。
【請求項７】
前記設定データは前記キャッシャーの固有の画像および／またはメッセージを包含し、
前記制御手段は、前記設定データが適用された際に、前記キャッシャーの固有の画像および／またはメッセージをレシートに印字させる、
ことを特徴とする請求項６に記載の売上データ処理装置。
【請求項８】
前記制御手段は、通信中の前記情報端末との間で通信不能になったとき、当該情報端末を所有する前記キャッシャーをサインアウトさせる、
ことを特徴とする請求項６または７に記載の売上データ処理装置。
【請求項９】
前記制御手段は、前記通信手段を介して前記情報端末から退勤処理要求を受信した時刻を退勤時刻として記録し、当該情報端末を所有するキャッシャーをサインアウトさせる、
ことを特徴とする請求項７または８に記載の売上データ処理装置。
【請求項１０】
所定の情報端末を所有するキャッシャーをサインインさせる売上データ処理装置のコンピュータを、
情報端末を識別するための端末識別情報と、当該情報端末を所有するキャッシャーに係る設定データと、を受信する通信手段、
前記通信手段を介して受信した端末識別情報に基づいて前記キャッシャーをサインインさせるとともに前記受信した設定データに基づく設定を適用する制御手段、
として機能させるための売上データ処理プログラム。
【請求項１１】
売上データ処理装置と通信可能な情報端末のコンピュータを、
前記売上データ処理装置に対するサインイン処理を実行する操作をキャッシャーから受け付ける入力手段、
前記入力手段により前記操作をキャッシャーから受け付けた際に、前記売上データ処理装置に対して、自身を識別するための端末識別情報と、前記キャッシャーに係る設定データと、を通信手段を介して送信する通信制御手段、
として機能させるためのキャッシャー情報管理プログラム。
【発明の詳細な説明】
【技術分野】
【０００１】
本発明は、売上データ処理システム、売上データ処理装置、売上データ処理プログラムおよびキャッシャー情報管理プログラムに関する。
【背景技術】
【０００２】
電子キャッシュレジスタ（ＥＣＲ（Electronic Cash Register））は、売上登録を電子的におこなうものである。電子キャッシュレジスタ（売上データ処理装置）においては、利用者がサインインを行うことが一般的である。このように利用者を特定することで、不正使用の防止、使用履歴の管理等が可能である。
【０００３】
従来、電子キャッシュレジスタの利用者は、売上データ処理装置に自分の識別情報と暗証情報を直接入力することにより、この電子キャッシュレジスタにサインインしていた。しかし、このような方法は煩雑であり、また、各利用者が己の識別情報と認証情報を記憶していなければサインインできない等の問題もあった。
【０００４】
サインインに関する利用者の負担を軽減するため、例えば、販売時点管理（point-of-sale：以下、ＰＯＳと称する）システムへのサインインを、携帯端末から、認証装置を介して行う方法が存在する。この方法により、利用者は、ＰＯＳ端末に備えられたデバイスを操作せずともＰＯＳシステムにサインインできるようになる。また、上記ＰＯＳ端末においては、サインインした利用者に対応したオペレータコードを設定することで、利用者ごとに使用できる機能を制限することが開示されている（例えば、特許文献１）。
【先行技術文献】
【特許文献】
【０００５】
【特許文献１】特開２０１５−１７９４７４号公報
【発明の概要】
【発明が解決しようとする課題】
【０００６】
特許文献１の方法においては、利用者はＰＯＳ端末の備えるデバイスを操作する必要がなく、サインインの際の利用者の負担を軽減することができるとともに、各利用者に合わせた機能の利用可能範囲を設定できる。
しかし、機能の利用可能範囲をはじめとする利用者毎の設定データを適用するためには、予め利用者と対応付けた設定データをＰＯＳ端末に記憶させておかなくてはならない。通常ＰＯＳ端末は、売上登録などの処理を実行しているため、各設定データを登録する（記憶させる）処理を頻繁に行うことは難しい。このような理由から、利用者と対応付けた設定データの変更や更新を柔軟に行うことができないという課題がある。
【０００７】
以上を踏まえ、本発明の課題は、売上データ処理装置に対して、利用者に対応する設定データを容易に適用可能にすることである。
【課題を解決するための手段】
【０００８】
すなわち、本発明に係る売上データ処理システムは、売上データ処理装置が所定の情報端末を所有するキャッシャーをサインインさせる売上データ処理システムであって、前記売上データ処理装置は、前記情報端末を識別するための端末識別情報と、前記キャッシャーに係る設定データと、を受信する通信手段と、前記通信手段を介して受信した端末識別情報に基づいて前記キャッシャーをサインインさせるとともに前記受信した設定データに基づく設定を適用する制御手段と、を備える。
【発明の効果】
【０００９】
本発明によれば、売上データ処理装置に対して、利用者に対応する設定データを容易に適用することが可能となる。
【図面の簡単な説明】
【００１０】
【図１】実施形態１の売上データ処理システムの構成例を示すシステム図である。
【図２】実施形態２の売上データ処理システムの構成例を示すシステム図である。
【図３】売上データ処理装置（ＥＣＲ）の概略図である。
【図４】情報端末（スマートフォン）の概略図である。
【図５】機能選択画面の概略図である。
【図６】レジ選択画面の概略図である。
【図７】ロゴ設定画面の概略図である。
【図８】レシートメッセージ設定画面の概略図である。
【図９】日誌作成＆退勤画面の概略図である。
【図１０】ＥＣＲが発行するレシートの概略図である。
【図１１】ＥＣＲがキャッシャーをサインインさせる手順のフローチャートである。
【図１２】キャッシャーがＥＣＲにサインインする手順のフローチャートである。
【図１３】実施形態２のスマートフォンが複数台のＥＣＲの中から１台のＥＣＲを選択してサインインし、サインアウトするまでのシーケンス図である
【図１４】実施形態１のスマートフォンにサインインスケジュールが登録されている場合のサインイン処理を示すシーケンス図である。
【発明を実施するための形態】
【００１１】
以下、図面を参照して、本発明の実施の形態について詳細に説明する。なお、各図は、本発明を十分に理解できる程度に概略的に示してあるに過ぎない。よって本発明は、図示例のみに限定されるものではない。また、各図において、共通する構成要素や同様な構成要素については、同一の符号を付し、それらの重複する説明を省略する。
【００１２】
図１は、実施形態１の売上データ処理システムＳの構成例を示すシステム図である。
図１の売上データ処理システムＳは、ＥＣＲ（売上データ処理装置）１ａとスマートフォン（情報端末）２ａ、スマートフォン２ｂを備えている。スマートフォン２ａは、キャッシャー５ａに所有され、スマートフォン２ｂは、キャッシャー５ｂに所有されている。以下、スマートフォン２ａ，２ｂを区別しないときには、単にスマートフォン２と記載する。キャッシャー５ａ，５ｂを区別しないときには、単にキャッシャー５と記載する。
【００１３】
ＥＣＲ１は、小売店、理髪店等様々な業態の店舗に設置され、会計、販売実績の記録、レシートの発行等、様々な処理を行う。なお、このような処理の実行には制限がかけられており、キャッシャーがサインインした際にのみ各処理の実行の制限を解除する構成となっている。
スマートフォン２ａには、ＯＳ（Operating System）が搭載され、後述するキャッシャー情報管理プログラム２４１がインストールされており、キャッシャー５ａの情報を管理したり、キャッシャー５ａをＥＣＲ１にサインインさせたりすることができる。スマートフォン２ｂも、スマートフォン２ａと同様である。
スマートフォン２を所有するキャッシャーは、ＥＣＲ１に通信可能な距離に近づくだけでサインイン可能となり、各処理の実行の制限を解除することができる。即ち、スマートフォン２は、いわゆるインテリジェントキーとして機能する。
なお、ＥＣＲ１ａにサインインするための情報端末としては、スマートフォンだけでなく、タブレット等の携帯可能な様々な情報端末が使用できる。
【００１４】
実施形態１において、スマートフォン２ａとスマートフォン２ｂは、自律的にＥＣＲ１ａとの通信を行おうとする。ＥＣＲ１ａは、所定の条件に合致するスマートフォン２ａの所有者であるキャッシャー５ａをサインインさせる。所定の条件については後述する。
このような構成にすることにより、キャッシャー５は、後述するキャッシャー情報管理プログラム２４１をインストールしたスマートフォン２を所有さえしていれば、ＥＣＲ１ａに情報を入力することなく、このＥＣＲ１ａにサインインすることができる。キャッシャー５は自身の認証情報と暗証情報を記憶しておく必要がなくなり、キャッシャー５の負担軽減が実現できる。
【００１５】
ＥＣＲ１ａは、サインインさせるスマートフォン２ａとだけ通信を確立してもよいし、スマートフォン２ａおよびスマートフォン２ｂと通信を確立してからスマートフォン２ａをサインインさせてもよい。
後者のように、サインインを要求する複数のスマートフォン２と通信を確立するようにすれば、サインインを必要としない処理については複数人が同時に行うことが可能になる。
【００１６】
図２は、実施形態２の売上データ処理システムＳの構成例を示すシステム図である。
図２の売上データ処理システムＳは、図１の構成に加えて、ＥＣＲ１ｂとスマートフォン２ｃを備えている。スマートフォン２ｃはキャッシャー５ｃに所有されている。ＥＣＲ１ａ，１ｂを特に区別しないときには、単にＥＣＲ１と記載する。
スマートフォン２ａ〜２ｃは、通信可能なＥＣＲ１ａ、ＥＣＲ１ｂをタッチパネルディスプレイ２６上に表示する。スマートフォン２ａ上でＥＣＲ１ａが選択されることで、スマートフォン２ａはＥＣＲ１ａにサインインし、スマートフォン２ｃ上でＥＣＲ１ｂが選択されることで、スマートフォン２ｃはＥＣＲ１ｂにサインインする。
【００１７】
図３は、ＥＣＲ１の概略のブロック図である。
ＥＣＲ１は、ＣＰＵ（Central Processing Unit）（制御手段）１１、表示部１２、印刷部１３、記憶部１４、通信部（通信手段）１５、入力部１６、計時部１７、ＲＡＭ１８（Random Access Memory）を備える。これら構成は、ＥＣＲが一般に備える既知の構成である。
記憶部１４は、例えばフラッシュメモリなどで構成されており、ＥＣＲ制御プログラム１４１、サインインテーブル１４２を格納している。
【００１８】
ＣＰＵ１１は、高速に読み書き可能な揮発性メモリであるＲＡＭ１８をワークエリアとして、このＥＣＲ１を統括制御するものである。ＣＰＵ１１は、ＥＣＲ制御プログラム１４１を実行し、サインインテーブル１４２を照会することで、キャッシャー５をサインインさせる。ＥＣＲ制御プログラム１４１およびサインインテーブル１４２の詳細については、後記する図１１で説明する。
表示部１２は、例えば液晶パネルなどであり、売上情報などを表示する。なお、図示は省略するが、この表示部１２には、顧客へ向けた情報を表示する客用表示部と、キャッシャー５に向けた情報を表示するキャッシャー用表示部と、が含まれる。
【００１９】
印刷部１３は、レシート用紙にレシート４を印字する。印刷部１３の印字方式については、レシート４を発行可能であれば制限されず、例えばラインサーマル方式、インパクトドット方式等が採用できる。
通信部１５は、スマートフォン２との通信を行う。通信部１５の通信方式については、スマートフォン２と通信可能であればよく、ＢＬＥ（Bluetooth（登録商標） Low Energy）等が採用できる。
【００２０】
入力部１６は、ＥＣＲ１に情報を入力する。入力部１６は、一般にＥＣＲに使用可能な入力デバイスであればよく、物理キーやタッチパネル等が採用できる。計時部１７は時刻を計時する。
【００２１】
図４は、スマートフォン２の概略のブロック図である。
スマートフォン２はＣＰＵ２１（入力手段、通信制御手段）、ＲＯＭ（Read Only Memory）２２、ＲＡＭ２３、フラッシュメモリ２４、通信部（通信手段）２５、タッチパネルディスプレイ２６、撮像部２７を備える。これら構成は、スマートフォン２が一般に備える既知の構成である。
【００２２】
ＣＰＵ２１は、このスマートフォン２を統括制御するものである。ＣＰＵ２１は、フラッシュメモリ２４や読み出し専用の不揮発性メモリであるＲＯＭ２２に格納されているプログラムを実行し、高速に読み書き可能な揮発性メモリであるＲＡＭ２３を作業領域としてデータを読み書きする。
フラッシュメモリ２４は、キャッシャー情報管理プログラム２４１と、キャッシャー情報２４２とサインインスケジュール（スケジュール情報）２４３とを格納する。キャッシャー情報管理プログラム２４１とキャッシャー情報（設定データ）２４２とサインインスケジュール２４３の詳細については図５〜９，１２で説明する。
【００２３】
通信部２５は、ＥＣＲ１との通信を行う。通信部２５の通信方式については、ＥＣＲ１と通信可能であれば制限されず、ＢＬＥ等が採用できる。
タッチパネルディスプレイ２６は、例えば液晶ディスプレイや有機ＥＬディスプレイの上に透明なタッチパネルを積層したものであって、表示操作部として動作する。
撮像部２７は、いわゆるカメラモジュールであり、光学像を撮像するものである。
【００２４】
図５は、機能選択画面３１の概略図である。
ＣＰＵ２１は、キャッシャー情報管理プログラム２４１の実行により、スマートフォン２のタッチパネルディスプレイ２６に、図５のような機能選択画面３１を表示する。
機能選択画面３１には、ステータスバー３１１、ナビゲーションバー３１２、レジ選択画面遷移ボタン３１３、ロゴ設定画面遷移ボタン３１４、メッセージ設定画面遷移ボタン３１５、日誌作成＆退勤ボタン３１６を備える。
【００２５】
ステータスバー３１１にはキャッシャー情報管理プログラム２４１を示す名前として「キャッシャー情報管理」が表示されている。ステータスバー３１１の左には例えば機能選択メニュー表示ボタンが、右には例えばキャッシャー情報管理プログラム２４１の設定メニュー表示ボタンが表示されていてもよい。
ナビゲーションバー３１２には、現在表示中の画面の名前として「機能選択」が表示されている。
【００２６】
レジ選択画面遷移ボタン３１３には、「電波を示すアイコン」、テキスト「レジ選択」、接続中のＥＣＲ１の識別情報が表示されている。キャッシャー５がレジ選択画面遷移ボタン３１３をタップすると、ＣＰＵ２１は、レジ選択画面３２（図６参照）をタッチパネルディスプレイ２６に表示する。
ロゴ設定画面遷移ボタン３１４には、「顔を示すアイコン」、テキスト「ロゴ設定」、ロゴ設定の設定／未設定が表示されている。キャッシャー５がロゴ設定画面遷移ボタン３１４をタップすると、ＣＰＵ２１は、ロゴ設定画面３３（図７参照）をタッチパネルディスプレイ２６に表示する。
【００２７】
メッセージ設定画面遷移ボタン３１５には、「筆記具を示すアイコン」、テキスト「メッセージ設定」、ロゴ設定の設定／未設定が表示されている。キャッシャー５がメッセージ設定画面遷移ボタン３１５をタップすると、ＣＰＵ２１は、メッセージ設定画面３４（図８参照）をタッチパネルディスプレイ２６に表示する。
日誌作成＆退勤ボタン３１６には、「ノートを示すアイコン」、テキスト「日誌作成＆退勤」が表示されている。キャッシャー５が日誌作成＆退勤ボタン３１６をタップすると、ＣＰＵ２１は、日誌作成＆退勤画面３５（図９参照）をタッチパネルディスプレイ２６に表示する。
【００２８】
図６は、レジ選択画面３２の概略図である。
レジ選択画面３２には、ステータスバー３２１、ナビゲーションバー３２２、接続中のレジ表示エリア３２３、レジ選択ボタン３２４、レジ選択ボタン３２５を備える。
【００２９】
ステータスバー３２１は、機能選択画面３１のステータスバー３１１と同様である。
ナビゲーションバー３２２には、現在表示中の画面の名前として「レジ選択」を表示し、左端には機能選択画面３１に戻るリンクが表示されている。キャッシャー５が前記リンクをタップか、または右スワイプすると、ＣＰＵ２１は、機能選択画面３１をタッチパネルディスプレイ２６に表示する。
接続中のレジ表示エリア３２３には、「現在サインイン中のレジの識別情報」、および、「電波強度を示すアイコン」が表示されている。サインインしているＥＣＲ１がない場合、「現在サインイン中のレジの識別情報」の欄は空白でもいいし、不在を示すなんらかの記号が表示されてもよい。
【００３０】
レジ選択ボタン３２４には、通信可能なＥＣＲ１の識別情報「ＥＣＲ０１」と、当該ＥＣＲ１にサインイン中のキャッシャー５の識別情報「特許花子」、および「電波強度を示すアイコン」が表示されている。レジ選択ボタン３２５には、通信可能なＥＣＲ１の識別情報「ＥＣＲ０２」と、当該ＥＣＲ１にサインイン中のキャッシャー５の識別情報「実用太郎」、および「電波強度を示すアイコン」が表示されている。レジ選択ボタン３２５は、通信可能なＥＣＲ１の数だけ表示される。なお、通信可能なＥＣＲ１にキャッシャー５がまだサインインしていない場合は、ＥＣＲ１にサインイン中のキャッシャー５の識別情報の欄を空白にするか、不在を示すなんらかの記号が表示されてもよい。
【００３１】
図７は、ロゴ設定画面３３の概略図である。
ロゴ設定画面３３には、ステータスバー３３１、ナビゲーションバー３３２、撮影ボタン３３３、ファイル選択ボタン３３４、ロゴ表示部３３５を備える。
ステータスバー３３１は、機能選択画面３１のステータスバー３１１と同様である。
ナビゲーションバー３２２には、現在表示中の画面の名前として「ロゴ設定」が表示され、左端には機能選択画面３１に戻るリンクが表示されている。キャッシャー５が右スワイプするか、または前記リンクをタップすると、ＣＰＵ２１は、機能選択画面３１をタッチパネルディスプレイ２６に表示する。
【００３２】
キャッシャー５が撮影ボタン３３３をタップすると、ＣＰＵ２１は、撮像部２７で撮影を行う。撮影された画像は、ロゴ表示部３３５に表示されると同時に、ロゴとしてキャッシャー情報２４２に記録される。
キャッシャー５がファイル選択ボタン３３４をタップすると、ＣＰＵ２１は、画像選択画面（不図示）をタッチパネルディスプレイ２６に表示する。この画像選択画面（不図示）には、フラッシュメモリ２４に保存された画像のリストが表示される。キャッシャー５が画像を選択すると、選択された画像がロゴ表示部３３５に表示されると同時に、ロゴ４１としてキャッシャー情報２４２に記録される。
【００３３】
図８は、メッセージ設定画面３４の概略図である。
メッセージ設定画面３４には、ステータスバー３４１、ナビゲーションバー３４２、メッセージテキストビュー３４３、メッセージ編集ボタン３４４を備える。
ステータスバー３４１は、機能選択画面３１のステータスバー３１１と同様である。
ナビゲーションバー３４２には、現在表示中の画面の名前として「レシートメッセージ設定」が表示され、左端には機能選択画面３１に戻るリンクが表示されている。キャッシャー５が右スワイプするか、または前記リンクをタップすると、ＣＰＵ２１は、機能選択画面３１をタッチパネルディスプレイ２６に表示する。
【００３４】
キャッシャー５がメッセージテキストビュー３４３をタップすると、スマートフォン２の文字入機能が起動する。キャッシャー５がメッセージ４５の入力を終え、メッセージ編集ボタン３４４をタップすると、ＣＰＵ２１はメッセージ４５をキャッシャー情報２４２に記録する。
【００３５】
図９は、日誌作成＆退勤画面３５の概略図である。
日誌作成＆退勤画面３５には、ステータスバー３５１、ナビゲーションバー３５２、日誌テキストビュー３５３、日誌入力ボタン３５４、送信実行ボタン３５５を備える。
ステータスバー３５１は、機能選択画面３１のステータスバー３１１と同様である。
ナビゲーションバー３５２には、現在表示中の画面の名前として「日誌作成＆退勤」が表示され、左端には機能選択画面３１に戻るリンクが表示されている。キャッシャー５が右スワイプするか、または前記リンクをタップすると、ＣＰＵ２１は、機能選択画面３１をタッチパネルディスプレイ２６に表示する。
【００３６】
キャッシャー５が日誌テキストビュー３５３をタップすると、スマートフォン２の文字入機能が起動する。キャッシャー５が日誌の入力を終え、日誌入力ボタン３５４をタップすると、日誌がキャッシャー情報２４２に記録される。
日誌に含まれる情報としては、キャッシャー５のＩＤ、氏名、出勤時間、レシートメッセージ設定、任意入力の報告等が考えられる。
【００３７】
図１０は実施形態１のＥＣＲ１が発行するレシート４の概略図である。
レシート４には、ロゴ４１、店舗ロゴ４２、店舗住所４３，キャッシャー識別情報４４、メッセージ４５、会計時刻４６、売上情報４７、小計４８、消費税４９、合計５０、お預り５１、お釣り５２が印刷されている。
【００３８】
ロゴ４１は、キャッシャー５が独自に設定した固有のロゴである。店舗ロゴ４２は、店舗情報を示したロゴである。店舗住所４３は、店舗の住所情報である。キャッシャー識別情報４４は、キャッシャー５を一意に識別するための情報であり、例えばＩＤと氏名の組み合わせ等を使用することができる。メッセージ４５は、キャッシャー５が独自に設定した固有のメッセージである。会計時刻４６は、会計した時刻である。売上情報４７は、売り上げた商品やサービスと、その点数や価格を示している。小計４８は、売上情報４７でリストした商品やサービスの小計額を示している。消費税４９は、小計４８に対してかかる消費税を示している。合計５０は、小計４８と消費税４９の合計を示している。お預り５１は、キャッシャー５が顧客から預かった金額を示している。お釣り５２は、お預り５１と合計５０の差額を示している。
【００３９】
ＣＰＵ１１は、ＥＣＲ制御プログラム１４１を実行することにより、サインインさせたスマートフォン２のキャッシャー情報２４２を受信し、キャッシャー情報２４２からロゴ４１、キャッシャー識別情報４４、メッセージ４５を取得する。
キャッシャー５固有のロゴ４１、メッセージ４５をレシート４に出力することにより、レシート４に付加価値を与えることができる。このようなレシート４は、特に個人の技量によって売上の変動する美容室等で、各美容師がキャッシャー５としてオリジナルのレシート４を発行する場合等に有用である。キャッシャー５は、ロゴ４１として撮影した自分の顔写真を用いて顧客に自分の印象づけを行ったり、メッセージ４５を利用して次回来店推奨日時を知らせたりすることができる。
【００４０】
図１１は、ＥＣＲ１がキャッシャー５をサインインさせる際のフローチャートである。当該処理は、ＥＣＲ１の搭載するＥＣＲ制御プログラム１４１が行っている。
まず、ＥＣＲ１は、スマートフォン２から信号探索要求を受信する（ステップＳ１０）。信号探索要求とは、Bluetooth（登録商標）であればAdvertisingに相当する要求である。信号探索要求の後、ＥＣＲ１は、信号探索要求を送信したスマートフォン２から端末識別情報（端末ＩＤ情報）を受信し（ステップＳ１１）、当該スマートフォン２に自身のＥＣＲ情報を送信する（ステップＳ１２）。
【００４１】
次に、ＥＣＲ１はキャッシャー５の所有するスマートフォン２がサインイン要求を行っているか確認する（ステップＳ１３）。スマートフォン２がサインイン要求を行っていなかった場合は、ＥＣＲ１は他のスマートフォン２のサインイン要求の確認に移行する（ステップＳ１３：Ｎｏ）。サインイン要求の確認処理がタイムアウトした場合は、スマートフォン２が通信不能な状態にあるものとして処理を終了する（ステップＳ１３：タイムアウト）。
【００４２】
スマートフォン２がサインイン要求を行っていた場合（ステップＳ１３：Ｙｅｓ）、ＥＣＲ１はスマートフォン２にサインインを肯定する応答を返す（ステップＳ１４）。応答を受信したスマートフォン２は、ロゴ４１とメッセージ４５を含むキャッシャー情報２４２を送信し、ＥＣＲ１はスマートフォン２の送信したキャッシャー情報２４２を受信する（ステップＳ１７）。
【００４３】
なお、ここではＥＣＲ１はサインインを肯定する応答を送信した後にキャッシャー情報２４２を受信しているが、この受信処理はステップＳ１０以降のどこで行ってもよい。受信したキャッシャー情報２４２に含まれるロゴ４１とメッセージ４５は、レシート４の出力用のデータとして設定され、レシート４に印刷される。
キャッシャー情報２４２を受信した後、ＥＣＲ１は、キャッシャー５のサインイン処理を行う（ステップＳ１６）。
【００４４】
ステップＳ１６のサインイン処理について詳細を記載する。ＥＣＲ１は端末ＩＤ情報とキャッシャー５の識別情報とを対応付けたサインインテーブル１４２を備えている。キャッシャー５の識別情報はここでは名前とする。ＥＣＲ１は、スマートフォン２から受信した端末ＩＤ情報でサインインテーブル１４２を照会し、キャッシャー５がＥＣＲ１の利用者として登録されているかを確認し、登録されていた場合にはキャッシャー５をサインインさせる。
【００４５】
なお、ここで、キャッシャー５がＥＣＲ１の利用者として登録されているかをサインインテーブル１４２に照会する処理は、ステップＳ１１の後からステップＳ１６までのどこで行ってもよい。また、キャッシャー５がそもそもＥＣＲ１の利用者として登録されておらず、サインインテーブル１４２に端末ＩＤ情報が存在しなかった場合は、処理を終了する（非図示）。
【００４６】
サインイン処理の完了後、ＥＣＲ１は、表示部１２にサインイン完了した旨を表示する（ステップＳ１７）。
【００４７】
図１２はキャッシャー５がＥＣＲ１に対してサインインを行う際のフローチャートである。当該処理はスマートフォン２の搭載するキャッシャー情報管理プログラム２４１が行っている。
実施形態２の売上データ処理システムＳは２台のＥＣＲ１を備える（図２参照）。
【００４８】
まず、スマートフォン２は対象未指定の信号探索要求を送信し（ステップＳ２０）、その後、自身の端末ＩＤ情報を送信する（ステップＳ２１）。スマートフォン２は、信号探索要求に反応した１台または複数台のＥＣＲ１が送信したＥＣＲ情報を受信し（ステップＳ２２）、所有者であるキャッシャー５の各ＥＣＲ１へのサインインがスケジュールされているかどうか、サインインスケジュール２４３を照会する（ステップＳ２３）。
【００４９】
照会の結果、サインインがスケジュールされたＥＣＲ１が存在した場合は（ステップＳ２３：Ｙｅｓ）、スマートフォン２は当該ＥＣＲ１に対してサインイン要求を送信する（ステップＳ２７）。
サインインがスケジュールされたＥＣＲ１が存在しなかった場合は（ステップＳ２３：Ｎｏ）、スマートフォン２はサインイン可能なＥＣＲ１の台数を判定する（ステップＳ２４）。
【００５０】
サインイン可能なＥＣＲ１の台数が０台だった場合は（ステップＳ２４：０台）、スマートフォン２は処理を終了する。
サインイン可能なＥＣＲ１の台数が１台だった場合は（ステップＳ２４：１台）、当該ＥＣＲ１に対してサインイン要求を送信する（ステップＳ２７）。
サインイン可能なＥＣＲ１の台数が２台以上だった場合は（ステップＳ２３：２台以上）、スマートフォン２は、タッチパネルディスプレイ２６にレジ選択画面３２を表示し、キャッシャー５は１台のＥＣＲ１を選択する（ステップＳ２５）。スマートフォンは、キャッシャー５の選択したＥＣＲ１に対してサインイン要求を送信する（ステップＳ２６）。
【００５１】
このような処理により、複数台のＥＣＲ１と通信可能であり、サインイン対象が自動的に判断がつかない場合であっても、キャッシャー５は希望するＥＣＲ１にサインインすることができる。
【００５２】
サインイン要求に対して、ＥＣＲ１から肯定の応答があった場合（ステップＳ２８：Ｙｅｓ）、当該ＥＣＲ１に対してキャッシャー情報２４２（ロゴ４１とメッセージ４５）を送信する（ステップＳ２９）。なお、ここではスマートフォン２は、ＥＣＲ１からサインインを肯定する応答を受信した後にキャッシャー情報２４２を送信しているが、この送信処理はステップＳ２０以降のどこで行ってもよい。
サインイン要求に対して、ＥＣＲ１から肯定の応答が返らなかった場合（ステップＳ２８：Ｎｏ）、処理を終了する。
【００５３】
図１３は、実施形態２の売上データ処理システムＳにおいて、スマートフォン２ａが２台のＥＣＲ１ａ，１ｂの中から、ＥＣＲ１ａを選択してサインインし、サインアウトするまでのシーケンス図である。
まず、スマートフォン２ａは、外部に信号探索要求を送信する（ステップＳ３０）。
【００５４】
スマートフォン２ａは、通信可能な圏内に存在するＥＣＲ１ａに対して端末ＩＤ情報を送信する（ステップＳ３１）。端末ＩＤ情報を受信したＥＣＲ１ａは、ＥＣＲ情報をスマートフォン２ａに送信する（ステップＳ３２）。ＥＣＲ情報を受信したスマートフォン２ａは、所有者であるキャッシャー５ａがＥＣＲ１ａにサインイン可能であるかどうか、サインインスケジュール２４３を照会する（ステップＳ３２１）。ここでは、キャッシャー５ａがＥＣＲ１ａの利用者としてスケジュールされていないか、スマートフォン２ａがサインインスケジュール２４３を備えていなかったものとする。
【００５５】
スマートフォン２ａは、同じく通信可能な圏内に存在するＥＣＲ１ｂに対しても同様に、端末ＩＤ情報を送信する（ステップＳ３３）。端末ＩＤ情報を受信したＥＣＲ１ｂは、ＥＣＲ情報をスマートフォン２ａに送信する（ステップＳ３４）。ＥＣＲ情報を受信したスマートフォン２ａは、所有者であるキャッシャー５ａがＥＣＲ１ｂにサインイン可能であるかどうか、サインインスケジュール２４３を照会する（ステップＳ３４１）。ここでは、キャッシャー５ａがＥＣＲ１ｂの利用者としてスケジュールされていないか、スマートフォン２ａがサインインスケジュール２４３を備えていなかったものとする。
【００５６】
スケジュール照会の結果、キャッシャー５ａがＥＣＲ１ａ，１ｂのどちらの利用者としても、スケジュールされていないので、スマートフォン２ａはサインイン要求を行わない。キャッシャー５ａは、自動でサインインがなされなかったので、スマートフォン２ａを操作してレジ選択画面３２を表示させ、ＥＣＲ１ａを選択する（ステップＳ３５）。
スマートフォン２ａは、再び信号探索要求を送信し（ステップＳ３６）、キャッシャー５ａに選択されたＥＣＲ１ａにサインインする（ステップＳ３７）。サインイン処理が完了したとき、ＥＣＲ１ａは、サインイン完了の旨を表示部１２に表示する（ステップＳ３８）。
【００５７】
なお、ＥＣＲ１ａは、スマートフォン２ａからキャッシャー情報２４２を受信し、キャッシャー情報２４２に含まれるロゴ４１とメッセージ４５を、レシート４の出力用のデータとして設定する。このキャッシャー情報２４２の受信および設定処理は、ステップＳ３０以降のどこで行ってもよい。
【００５８】
業務を終えたキャッシャー５は、スマートフォン２を操作し、日誌作成＆退勤画面３５（図９参照）を表示させる。キャッシャー５は、日報を入力し（ステップＳ４０）、入力が完了したなら送信実行ボタン３５５をタップし、日報を送信する（ステップＳ４１）。送信実行ボタン３５５のタップにより、スマートフォン２ａは、ＥＣＲ１ａに退勤処理要求も送信する（ステップＳ４２）。日報と退勤処理要求とを受信したＥＣＲ１ａは、スマートフォン２ａとの間でサインアウト処理を行う（ステップＳ４３）。
このような処理により、キャッシャー５ａは、日報の送信と退勤処理をまとめて行えるようになる。さらに、日報には出勤時間、その日設定していたメッセージ等が自動で出力されるため、日報入力の手間も軽減される。
【００５９】
なお、上記の退勤処理要求によるサインアウト処理以外に、キャッシャー５がスマートフォン２を所持したままＥＣＲ１のそばを離れ、ＥＣＲ１がスマートフォン２と通信不能になった場合も、ＥＣＲ１は、このキャッシャー５のサインアウト処理を行う。これにより、キャッシャー５が手動サインアウト処理を行わずとも、自動でサインアウト処理が行われることとなり、ＥＣＲ１に対する不正操作を防止することができる。
【００６０】
図１４は、実施形態１の売上データ処理システムＳにおいて、２台のスマートフォン２ａ，２ｂが存在し、スマートフォン２a，２ｂにサインインスケジュール２４３が登録されている場合の処理を示すシーケンス図である。
まず、スマートフォン２ａは、外部に信号探索要求を送信する（ステップＳ５０）。
【００６１】
スマートフォン２ａは、通信可能な圏内の１台だけのＥＣＲであるところのＥＣＲ１ａに対して端末ＩＤ情報を送信する（ステップＳ５１）。端末ＩＤ情報を受信したＥＣＲ１ａは、スマートフォン２ａに対してＥＣＲ情報を送信する（ステップＳ５２）。
ＥＣＲ情報を受信したスマートフォン２ａは、所有者であるキャッシャー５ａがＥＣＲ１ａにサインイン可能かどうか、サインインスケジュール２４３を照会する（ステップＳ５３０）。サインイン可能だった場合、スマートフォン２ａはＥＣＲ１ａに対してサインイン要求を行い、ＥＣＲ１ａはキャッシャー５ａをサインインさせる（ステップＳ５３）。サインイン処理が完了したとき、ＥＣＲ１ａはサインイン完了の旨を表示部１２に表示する（ステップＳ５４）。
【００６２】
ここで、スマートフォン２ｂを所有するキャッシャー５ｂが遅れて出勤してきたものとする。スマートフォン２ｂは、外部に信号探索要求を送信する（ステップＳ６０）。スマートフォン２ｂは通信可能な圏内の１台だけのＥＣＲであるところのＥＣＲ１ａに対して端末ＩＤ情報を送信する（ステップＳ６１）。端末ＩＤ情報を受信したＥＣＲ１ａは、ＥＣＲ情報をスマートフォン２ｂに送信する（ステップＳ６２）。
【００６３】
スマートフォン２ｂは、所有者であるキャッシャー５ｂがＥＣＲ１ａにサインイン可能かどうか、サインインスケジュール２４３を照会する（ステップＳ６３０）。照会の結果、このときはキャッシャー５ｂがＥＣＲ１ａにサインイン可能な時間ではなかったため、スマートフォン２ｂはＥＣＲ１ａにサインイン要求を行わないが、スマートフォン２ｂはその後も信号探索要求を継続する。
【００６４】
スマートフォン２ａは、所有者であるキャッシャー５ａのサインイン可能な時間帯の終了時刻をサインイン時に取得しておくか、定期的にサインインスケジュール２４３を照会する等して、キャッシャー５ａのサインイン可能な時間帯の終了を検知する。キャッシャー５ａのサインイン可能な時間帯を過ぎたときに、スマートフォン２ａはＥＣＲ１ａにサインアウト要求を送信し、サインアウト要求を受信したＥＣＲ１ａはキャッシャー５ａをサインアウトさせる（ステップＳ７０）。
【００６５】
その後、スマートフォン２ｂは、信号探索要求を送信し（ステップＳ７１）、ＥＣＲ１ａに端末ＩＤ情報を送信する（ステップＳ７２）。端末ＩＤ情報を受信したＥＣＲ１ａは、ＥＣＲ情報を送信する（ステップＳ７３）。
ＥＣＲ情報を受信したスマートフォン２ｂは、所有者であるキャッシャー５ｂがＥＣＲ１ａにサインイン可能かどうか、サインインスケジュール２４３を照会する（ステップＳ７４０）。このときはサインイン可能な時間に該当したため、スマートフォン２ｂはＥＣＲ１ａに対してサインイン要求を送信し、ＥＣＲ１ａは、キャッシャー５ｂをサインインさせる（ステップＳ７４）。サインイン処理が完了したとき、ＥＣＲ１ａはサインイン完了の旨を表示部１２に表示する（ステップＳ７５）。
【００６６】
なお、ＥＣＲ１ａは、スマートフォン２ａ、２ｂからキャッシャー情報２４２を受信し、キャッシャー情報２４２に含まれるロゴ４１とメッセージ４５を、レシート４の出力用のデータとして設定する。スマートフォン２ａの所有者のキャッシャー情報２４２の受信および設定処理は、ステップＳ５０以降、ステップＳ７０までのどこで行ってもよい。またスマートフォン２ｂの所有者のキャッシャー情報２４２の受信および設定処理は、ステップＳ６０以降のどこで行ってもよい。ただしこの場合、ＥＣＲ１ａは、各キャッシャー５のレシート４の情報を個別に管理しているものとする。
【００６７】
このような処理により、複数のサインイン要求が競合した場合であっても、適切なキャッシャー５をＥＣＲ１にサインインさせることができる。
【００６８】
（変形例）
本発明は、上記実施形態に限定されることなく、本発明の趣旨を逸脱しない範囲で、変更実施が可能であり、例えば、サインインスケジュール２４３は、ＥＣＲ１が備えていてもよい。
【００６９】
また、上記実施形態では、キャッシャー情報２４２にはロゴ４１とメッセージ４５が含まれ、これらをレシート４の出力用のデータとして設定していたが、これに限定されるものではない。例えば、キャッシャー情報２４２に所定の表示情報を含めて、これらをＥＣＲ１に送信し、設定する構成とすることで、ＥＣＲ１の客用表示部に各キャッシャー５に対応した表示を行うことができる。また、顧客への情報提供に関連する設定に限られず、例えば、ＥＣＲ１の表示設定や操作設定などに係る設定データをキャッシャー情報２４２に含めてもよい。即ち、キャッシャー情報２４２には、各キャッシャー５に対応する任意の設定データを含めることができる。
【００７０】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
売上データ処理装置が所定の情報端末を所有するキャッシャーをサインインさせる売上データ処理システムであって、
前記売上データ処理装置は、
前記情報端末を識別するための端末識別情報と、前記キャッシャーに係る設定データと、を受信する通信手段と、
前記通信手段を介して受信した端末識別情報に基づいて前記キャッシャーをサインインさせるとともに前記受信した設定データに基づく設定を適用する制御手段と、
を備えることを特徴とする売上データ処理システム。
《請求項２》
前記設定データは、前記キャッシャーの固有の画像および／またはメッセージを包含し、
前記制御手段は、前記設定データに基づく設定が適用された際に、前記キャッシャーの固有の画像および／またはメッセージをレシートに印字させる、
ことを特徴とする請求項１に記載の売上データ処理システム。
《請求項３》
前記情報端末は、
前記売上データ処理装置と、当該売上データ処理装置に前記キャッシャーがサインイン可能な時間帯とが対応付けられたスケジュール情報に基づいて、前記キャッシャーが現在時刻において前記売上データ処理装置にサインイン可能か否かを判別する判別手段、
を備えることを特徴とする請求項１または２に記載の売上データ処理システム。
《請求項４》
前記制御手段は、通信中の前記情報端末との間で通信不能になったとき、当該情報端末を所有する前記キャッシャーをサインアウトさせる、
ことを特徴とする請求項１から５の何れか一項に記載の売上データ処理システム。
《請求項５》
前記制御手段は、前記通信手段を介して前記情報端末から退勤処理要求を受信した時刻を退勤時刻として記録し、当該情報端末を所有するキャッシャーをサインアウトさせる
ことを特徴とする請求項１から４の何れか一項に記載の売上データ処理システム。
《請求項６》
所定の情報端末を所有するキャッシャーをサインインさせる売上データ処理装置であって、
前記情報端末を識別するための端末識別情報と、前記キャッシャーに係る設定データと、を受信する通信手段と、
前記通信手段を介して受信した端末識別情報に基づいて前記キャッシャーをサインインさせるとともに前記受信した設定データに基づく設定を適用する制御手段と、
を備えることを特徴とする売上データ処理装置。
《請求項７》
前記設定データは前記キャッシャーの固有の画像および／またはメッセージを包含し、
前記制御手段は、前記設定データが適用された際に、前記キャッシャーの固有の画像および／またはメッセージをレシートに印字させる、
ことを特徴とする請求項６に記載の売上データ処理装置。
《請求項８》
前記制御手段は、通信中の前記情報端末との間で通信不能になったとき、当該情報端末を所有する前記キャッシャーをサインアウトさせる、
ことを特徴とする請求項６または７に記載の売上データ処理装置。
《請求項９》
前記制御手段は、前記通信手段を介して前記情報端末から退勤処理要求を受信した時刻を退勤時刻として記録し、当該情報端末を所有するキャッシャーをサインアウトさせる、
ことを特徴とする請求項７または８に記載の売上データ処理装置。
《請求項１０》
所定の情報端末を所有するキャッシャーをサインインさせる売上データ処理装置のコンピュータを、
情報端末を識別するための端末識別情報と、当該情報端末を所有するキャッシャーに係る設定データと、を受信する通信手段、
前記通信手段を介して受信した端末識別情報に基づいて前記キャッシャーをサインインさせるとともに前記受信した設定データに基づく設定を適用する制御手段、
として機能させるための売上データ処理プログラム。
《請求項１１》
売上データ処理装置と通信可能な情報端末のコンピュータを、
前記売上データ処理装置に対するサインイン処理を実行する操作をキャッシャーから受け付ける入力手段、
前記入力手段により前記操作をキャッシャーから受け付けた際に、前記売上データ処理装置に対して、自身を識別するための端末識別情報と、前記キャッシャーに係る設定データと、を通信手段を介して送信する通信制御手段、
として機能させるためのキャッシャー情報管理プログラム。
【符号の説明】
【００７１】
Ｓ  売上データ処理システム
１、１ａ、１ｂ  ＥＣＲ  （売上データ処理装置）
１１  ＣＰＵ  （制御手段）
１２  表示部
１３  印刷部
１３  記憶部
１４  記憶部
１４１  ＥＣＲ制御プログラム
１４２  サインインテーブル
１５  通信部  （通信手段）
１６  入力部
１７  計時部
２、２ａ、２ｂ  スマートフォン  （情報端末）
２１  ＣＰＵ（入力手段、通信制御手段）
２２  ＲＯＭ
２３  ＲＡＭ
２４  フラッシュメモリ
２４１  キャッシャー情報管理プログラム
２４２  キャッシャー情報
２４３  サインインスケジュール  （スケジュール情報）
２５  通信部  （通信手段）
２６  タッチパネルディスプレイ  
２７  撮像部
３１  機能選択画面
３１１、３２１、３３１、３４１、３５１  ステータスバー
３１２、３２２、３３２、３４２、３５２  ナビゲーションバー
３１３  レジ選択画面遷移ボタン
３１４  ロゴ設定画面遷移ボタン
３１５  メッセージ設定画面遷移ボタン
３１６  日誌作成＆退勤ボタン
３２  レジ選択画面
３２３  接続中のレジ表示エリア
３２４、３２５  レジ選択ボタン
３３  ロゴ設定画面
３３３  撮影ボタン
３３４  ファイル選択ボタン
３３５  ロゴ表示部
３４  メッセージ設定画面
３４３  メッセージテキストビュー
３４４  メッセージ編集ボタン
３５  日誌作成＆退勤画面
３５３  日誌テキストビュー
３５４  日誌入力ボタン
３５５  送信実行ボタン
【図１】
2019219867.tif 000003
【図２】
2019219867.tif 000004
【図３】
2019219867.tif 000005
【図４】
2019219867.tif 000006
【図５】
2019219867.tif 000007
【図６】
2019219867.tif 000008
【図７】
2019219867.tif 000009
【図８】
2019219867.tif 000010
【図９】
2019219867.tif 000011
【図１０】
2019219867.tif 000012
【図１１】
2019219867.tif 000013
【図１２】
2019219867.tif 000014
【図１３】
2019219867.tif 000015
【図１４】
2019219867.tif 000016